(57)【要約】【課題】組み立てた押しボタン装置の意匠シートを簡単に交換可能な遊技機を提供する。【解決手段】スロットマシンは、押下される押下面の内側に、押下面越しに表示される画像が設けられた意匠シート６２を有する演出用の押しボタン装置を備える。押しボタン装置は、押下されて押下方向に移動するボタン可動体と、ボタン可動体を支持するボタン支持体８０と、ボタン可動体を付勢するコイルばね８２とを備える。ボタン可動体は、ボタン支持体８０に押下方向に沿って所定範囲だけ移動自在に支持されるとともに、コイルばね８２に押下方向の逆方向に付勢される可動本体７０と、押下面が設けられているとともに意匠シートを有する被押下体６０とを備える。可動本体７０がボタン支持体８０に取り付けられた状態で、可動本体７０に対して着脱自在に被押下体６０が設けられている。【選択図】図５
2018183284.tif 000002
【特許請求の範囲】
【請求項１】
押下される押下面の内側に、前記押下面越しに表示される画像が設けられた意匠シートを有する演出用の押しボタン装置を備えた遊技機において、
前記押しボタン装置は、押下されて押下方向に移動するボタン可動体と、ボタン可動体を支持するボタン支持体と、前記ボタン可動体を付勢する付勢手段とを備え、
前記ボタン可動体は、前記ボタン支持体に前記押下方向に沿って所定範囲だけ移動自在に支持されるとともに、前記付勢手段に前記押下方向の逆方向に付勢される可動本体と、前記押下面が設けられているとともに前記意匠シートを有する被押下体とを備え、
前記可動本体が前記ボタン支持体に取り付けられた状態で、前記可動本体に対して着脱自在に前記被押下体が設けられていることを特徴とする遊技機。
【請求項２】
前記被押下体が前記押下方向側から着脱操作可能に前記可動本体に着脱自在に取り付けられていることを特徴とする請求項１に記載の遊技機。
【請求項３】
前記被押下体は、有蓋筒状に設けられ、蓋の外面が前記押下面とされたアウターレンズと、有蓋筒状に設けられ、前記アウターレンズ内に重ねて配置されるとともに前記アウターレンズの前記蓋に蓋が重ねて配置されるインナーレンズと、前記アウターレンズの前記蓋と、前記インナーレンズの前記蓋との間に前記意匠シートが挟まれ、
前記アウターレンズおよび前記インナーレンズの前記蓋のうちの少なくとも一方の前記蓋の前記意匠シートに接触する面にシボ加工が施されていることを特徴とする請求項１または請求項２に記載の遊技機。
【請求項４】
前記被押下体は、有蓋円筒状に設けられ、蓋の外面が前記押下面とされたアウターレンズと、前記アウターレンズ内径と略同様の外径を有し、前記アウターレンズ内の前記蓋の内面に接する前記意匠シートとを備え、
前記アウターレンズの内周面に前記アウターレンズの軸方向に沿う溝または突条が設けられ、前記意匠シートの外周の前記アウターレンズの前記溝または前記突条に対応する位置に凸部または凹部が設けられ、アウターレンズに対する前記意匠シートの回転が規制されていることを特徴とする請求項１〜３の何れか１項に記載の遊技機。
【発明の詳細な説明】
【技術分野】
【０００１】
本発明は、押しボタン装置を備えた遊技機に関する。
【背景技術】
【０００２】
従来から外周面に図柄が配列された複数の回転リールを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の回転開始操作を契機として、内部抽選を行うとともに複数の回転リールの回転を開始させ、遊技者の停止操作を契機として、内部抽選の結果に応じた態様で複数の回転リールを停止させる制御を行っている。そして、遊技の結果は、複数の回転リールが停止した状態における入賞判定ライン（有効ライン）上に表示された図柄組合せによって判定され、遊技の結果に応じてメダル等の払い出しなどが行われる。すなわち、有効ライン上に内部抽選で当選した役に対応する図柄組合せで図柄が停止すると役が入賞したことになり、メダルの払い出しなどが行われる。
【０００３】
このようなスロットマシンには、ストップボタン（スイッチ）やベッドボタン（スイッチ）や精算ボタン（スイッチ）や、演出用ボタン（スイッチ）等の押しボタン装置（スイッチ）が設けられている。これらの押しボタン装置のうちの演出用ボタンとなる押しボタン装置は、例えば、遊技の演出の選択を遊技者に行わせる場合などに、遊技者によって押下される。演出用ボタンとなる演出用の押しボタン装置では、ボタンの例えば押下される押下面側には、絵やマーク等の図柄の画像が背面からＬＥＤで照らされて表示されるようになっている（例えば、特許文献１、２参照）。この演出用の押しボタン装置は、一般に機種毎にデザインされており、表示される画像は機種によって異なるものとなっている。このような押しボタン装置では、例えば、押下されるボタンと、ボタンを押下方向に沿って所定範囲だけ移動可能に支持するボタン支持部材と、この支持部材に対してボタンを押下方向の反対方向に付勢するばねとを備え、ボタンは、有蓋筒状の外筒（アウターレンズ）を有するととともに、この外筒の内部に、上述の画像が描かれた意匠シート、インナーレンズ、ＬＥＤを有するＬＥＤ基板、ばねに押圧される被付勢部材、ボタン支持部材に移動可能に支持される被支持部材等が設けられている。また、ボタンは、ばねで付勢されていることから、ばねの付勢力によりボタン支持部材からボタンが外れないように取り付けられている。また、押しボタン装置は、乱暴に扱われることがあってもボタンがボタン支持部材から外れないような構造となっている。また、ボタンに振動モータが取り付けられ、ボタンが振動する構造となっているものも知られている。
【先行技術文献】
【特許文献】
【０００４】
【特許文献１】特開２０１２−１２５３４４号公報
【特許文献２】特開２００９−２６１６２０号公報
【発明の概要】
【発明が解決しようとする課題】
【０００５】
ところで、演出用の押しボタン装置は、各機種で同じ構造のものを用いるような設計とすることが考えられ、基本的な構造を共通する機種では、同じ構造の押しボタン装置を使うことが考えられる。但し、この場合もボタンの押下される押下面に表示される画像は機種によって異なるものとなる。
ボタンの押下面に表示される画像は、ボタンの有蓋筒状の透明な外筒（アウターレンズ）の蓋の内側に上述の画像が設けられた意匠シートを配置することで表示される。実際に押しボタン装置をスロットマシンに取り付ける際には、その前にボタンに意匠シートを取り付けた状態で、押しボタン装置を組み立ててから、組み上がった押しボタン装置がスロットマシンに取り付けられる。ここで、各機種で同じ構造の押しボタン装置を用いる場合に、例えば、一つの機種の生産台数の予定が急遽変更となって、生産台数が減ってしまったような場合に、既に組み立てられた演出用のボタン装置が余っても、他の機種でも同じ構造の押しボタン装置が用いられているのであれば余った押しボタン装置を流用することができる。但し、上述の画像となる意匠シートは、機種によって違うので、意匠シートを変更しなと押しボタン装置の他機種への流用ができない。ここで、上述のようにボタン支持部材に対して簡単に取れないボタンの外筒の内側の一番奥側（押圧面の裏側）に意匠シートが配置されるので、ボタン支持部材に取り外し難いように取り付けられたボタンをばねに付勢された状態または先にばねの付勢力を無効にしてから取り外し、次いで、ボタンの外筒からＬＥＤ基板や振動モータ等を取り外し、一番奥側の意匠シートを取り外し、別の意匠シートを取り付けてからもう一度、押しボタン装置を組み立てることになる。すなわち、意匠シートを交換するのに、押しボタン装置の略全てを分解して組み立て直すのに近い手間がかかってしまい、それに応じたコストが必要となる。
【０００６】
本発明は、前記事情に鑑みてなされたもので、組み立てた押しボタン装置の意匠シートを簡単に交換可能な遊技機を提供することを目的とする。
【課題を解決するための手段】
【０００７】
前記目的を達成するために、本発明の遊技機は、押下される押下面の内側に、前記押下面越しに表示される画像が設けられた意匠シートを有する演出用の押しボタン装置を備えた遊技機において、
前記押しボタン装置は、押下されて押下方向に移動するボタン可動体と、ボタン可動体を支持するボタン支持体と、前記ボタン可動体を付勢する付勢手段とを備え、
前記ボタン可動体は、前記ボタン支持体に前記押下方向に沿って所定範囲だけ移動自在に支持されるとともに、前記付勢手段に前記押下方向の逆方向に付勢される可動本体と、前記押下面が設けられているとともに前記意匠シートを有する被押下体とを備え、
前記可動本体が前記ボタン支持体に取り付けられた状態で、前記可動本体に対して着脱自在に前記被押下体が設けられていることを特徴とする。
【０００８】
このような構成によれば、ボタンとして動作するボタン可動体において、ボタン支持体に可動自在に支持されるとともに付勢手段に付勢される可動本体をボタン支持体から外すことなく、可動本体から被押下体を取り外し、取り外された被押下体において意匠シートを交換することができる。意匠シートを交換された被押下体を可動本体に取り付けることができ、押しボタン装置を流用する場合の意匠シートの交換において、押しボタン装置の略全体を分解して組み立て直す必要がなく、他機種への押しボタン装置の流用に際して意匠シートの交換を容易にできる。ここで、押下とは、必ずしも下に向かって押すことだけを意味するのではなく、出没自在で出た状態のものを没する方向に押すことを示しており、上から下に押す鉛直方向だけではなく、前から後ろ等の水平方向や斜め方向も含まれるものである。
【０００９】
本発明の前記構成において、前記被押下体が前記押下方向側から着脱操作可能に前記可動本体に着脱自在に取り付けられていることが好ましい。
【００１０】
このような構成によれば、押下方向からの操作により可動本体から被押下体を着脱できるので、着脱操作の操作性が良好となる。例えば、押しボタン装置において、押下方向の反対側には、被押下体を隠すようにボタン支持体、付勢手段等が配置されている可能性が高く、押下方向の逆方向から被押下体の着脱操作を行なう場合に操作性に問題がある。
【００１１】
また、本発明の前記構成において、前記被押下体は、有蓋筒状に設けられ、蓋の外面が前記押下面とされたアウターレンズと、有蓋筒状に設けられ、前記アウターレンズ内に重ねて配置されるとともに前記アウターレンズの前記蓋に蓋が重ねて配置されるインナーレンズと、前記アウターレンズの前記蓋と、前記インナーレンズの前記蓋との間に前記意匠シートが挟まれ、
前記アウターレンズおよび前記インナーレンズの前記蓋のうちの少なくとも一方の前記蓋の前記意匠シートに接触する面にシボ加工が施されていることが好ましい。
【００１２】
このような構成によれば、有蓋筒状のアウターレンズやインナーレンズの蓋の意匠シートに接する部分にシボ加工が施されることにより、細かな凹凸がある面が意匠シートに接することになり、意匠シートがアウターレンズやインナーレンズの蓋部分に貼り付くのを防止できる。これにより意匠シートの交換が容易になる。なお、意匠シートとして表面に細かな凹凸を有するシートを用いることが可能であるが、意匠シートの仕入れ価格が高くなり、遊技機のコストが高くなる。それに対してインナーレンズやアウターレンズのシボ加工は、これらの成形用の金型に対して加工を施すことで行われることから金型のコスト増となる。しかし、押しボタン装置を作れば作るほど、金型当たりの製品数が多くなり、製品当たりのシボ加工用の金型にかかるコストが下がることになり、押しボタン装置を異機種でも同じ構造として、生産個数を増加させることでコストの低減を図ることができる。
【００１３】
また、本発明の前記構成において、前記被押下体は、有蓋円筒状に設けられ、蓋の外面が前記押下面とされたアウターレンズと、前記アウターレンズ内径と略同様の外径を有し、前記アウターレンズ内の前記蓋の内面に接する前記意匠シートとを備え、
前記アウターレンズの内周面に前記アウターレンズの軸方向に沿う溝または突条が設けられ、前記意匠シートの外周の前記アウターレンズの前記溝または前記突条に対応する位置に凸部または凹部が設けられ、アウターレンズに対する前記意匠シートの回転が規制されていることが好ましい。
【００１４】
このような構成によれば、円筒状のアウターレンズ内で円形の意匠シートが回転してしまうのを防止できるとともに、組立時にアウターレンズに意匠シートを挿入する段階から位置合わせできるとともに、挿入途中で意匠シートが回転するのを防止し、作業性を向上できる。
【発明の効果】
【００１５】
本発明の遊技機によれば、演出用の押しボタン装置を他の機種に流用する場合に意匠シートを容易に交換できる。
【図面の簡単な説明】
【００１６】
【図１】本発明の実施の形態に係る遊技機の一例を示すもので、その斜視図である。
【図２】同、押しボタン装置を示す斜視図である。
【図３】同、押しボタン装置を示す分解斜視図である。
【図４】同、押しボタン装置を示す分解斜視図である。
【図５】同、押しボタン装置を示す分解斜視図である。
【図６】同、被押下体を示す分解斜視図である。
【図７】同、アウターレンズと意匠シートを説明するための図である。
【図８】同、押しボタン装置を示す分解斜視図である。
【図９】同、押しボタン装置の可動本体とボタン支持体を示す背面図である。
【発明を実施するための形態】
【００１７】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１８】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１９】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００２０】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部中央には、表示窓３１の上方に表示窓３２が設けられている。この表示窓３２は上扉３０に設けられた液晶表示パネルを有する画像表示装置（ディスプレイ）の表示面を見るために設けられたものであり、この画像表示装置では、その表示面に遊技機における演出用の画像が表示されるようになっている。なお、画像表示装置は、演出用の画像を表示できるものであれば、液晶ディスプレイ以外のディスプレイであってもよい。
また、上扉３０の表示窓３２の上部および左右両側部には、報知や演出などを行うためのランプ３３ａ，３３ｂが設けられている。
【００２１】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００２２】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２３】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２４】
また、下扉４０の下部には、スロットマシンＭ内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ３３ｄが設けられている。
【００２５】
また、スロットマシンＭには、表示窓３１の右側に演出用の押しボタン装置２０が設けられている。この押しボタン装置２０（図１、２に図示）は、操作盤５７とは、別に設けられたもので、遊技中に遊技の演出により遊技者に押下するように促し、押下されることで演出内容を変化させるようになっている。このような演出用の押しボタン装置２０は、図２〜図８、に示すように、遊技者に直接押下されるアウターレンズ６１を備えるものであり、アウターレンズ６１は、有蓋円筒状となっている。
アウターレンズ６１の蓋となる部分の外面が遊技者に押下される押下面であり、図５〜図７に示すように、このアウターレンズ６１の蓋の押下面の反対となる内面側に円形のシートである意匠シート６２が配置されている。この意匠シート６２には、絵、マーク等の図柄としての画像が形成されており、写真のスライド状のもの、すなわち、光を透過するポジフィルム状のものとなっており、意匠シートのアウターレンズ６１の蓋の反対側となる背面側から照らすことにより、押しボタン装置２０の押下面に画像がアウターレンズ６１の蓋越しに表示されるようになっている。
【００２６】
この押しボタン装置２０は、図８に示すように、押下されて押下方向に移動するボタン可動体９０と、ボタン可動体９０を支持するボタン支持体８０と、このボタン支持体８０に対してボタン可動体９０を押下方向の反対方向に付勢する付勢手段であるコイルばね８２とを備える。押下方向は、基本的にボタン可動体９０の有蓋筒状のアウターレンズ６１の軸方向に沿うとともに、アウターレンズ６１の蓋部分にほぼ直交する方向で、蓋の外面側から内面側に向かう方向である。ボタン可動体９０は、ボタン支持体８０に押下方向に沿って所定範囲だけ移動自在に支持されるとともに、コイルばね８２に押下方向の逆方向に付勢される可動本体７０と、押下面を有するアウターレンズ６１や意匠シート６２等を備える被押下体６０とを備える。
【００２７】
すなわち、ボタン可動体９０のうちの可動本体７０がボタン支持体８０に押下方向に設定された所定範囲（例えば、５ｍｍ程度以下の押しボタンの押し代）だけ移動自在に支持された状態となっている。ボタン支持体８０および可動本体７０には、互いに押下方向およびその逆方向への相対移動をガイドするガイド部材が設けられるとともに、予め設定されたボタンの移動範囲以上の押下方向に沿う移動を規制する規制部材が設けられている。例えば、図3、図９に示すように、可動本体７０には、この可動本体７０の被押下体６０の反対となる背面から可動本体７０の移動方向（押下方向）に沿って延出する円筒状の一対のボス７７が設けられている。可動本体70を押下方向に移動自在に支持するボタン支持体８０には、図９に示すように、可動本体７０のボス７７が挿入される一対の貫通孔８４が設けられている。ボス７７は、貫通孔８４内を軸方向に摺動自在となっており、ボス７７と貫通孔８４が可動本体７０を押下方向とその逆方向に案内している。また、ボス７７の先端部には、貫通孔８４に相通された状態で座付きねじがねじ込まれ、ボス７７の先端部がボタン支持体８０の貫通孔８４から抜けないようになっている。これにより、可動本体７０の移動範囲が規制される。また、ボタン支持体８０から可動本体７０を外すには、座付きねじをはずす必要がある。
このような構造により、コイルばね８２の付勢力により可動本体７０が移動範囲の一端側に配置された状態から、付勢力に抗して押下されることにより移動範囲の他端側に移動することを可能としている。
【００２８】
図３、図８に示すように、ボタン支持体８０は、有底筒状（箱状）であり、底面側にベース部材８１が取り付けられ、天面側が開放されている。ボタン支持体８０は、天面側が開放された状態で、内部にボタン可動体９０を押下方向に所定範囲だけ移動可能に収容している。なお、天面から底面に向かう方向が押下方向となる。このボタン支持体８０とボタン可動体９０との間にコイルばね８２が配置されて、ボタン支持体８０に対してボタン可動体９０を押下方向の逆方向に付勢している。また、ボタン可動体９０は、その可動本体７０の被押下体６０が取り付けられる部分が略円筒状で、後述の振動モータ７３を収納する部分が略四角箱状となっている。また、ボタン支持体８０は、ボタン可動体９０を収容するために、ボタン可動体９０の可動本体７０に近似した形状となっている。
【００２９】
また、ボタン可動体９０は、上述のようにボタン支持体８０に押下方向に移動可能に取り付けられた可動本体７０と、ボタン支持体８０に取り付けられた状態の可動本体７０に着脱可能な被押下体６０とを備える。図３〜図５に示すように、可動本体７０は、上述のように有底筒状のボタン支持体８０に近似する外形を有する有底筒状となっており、内部にＬＥＤを有するＬＥＤ基板７１を備えるとともに、ＬＥＤ基板７１に隣接して振動モータ７３を備える。可動本体７０は、ＬＥＤ基板７１を収容した部分が主要な部分であり、外部からボタンとして視認される被押下体６０がとりつけられる。それに対して、可動本体７０のＬＥＤ基板７１に隣接して振動モータ７３が配置された部分は、被押下体６０に覆われることなく、モータカバー７２に覆われた状態となっている。ボタン可動体９０は、被押下体６０の部分が略円筒状で振動モータ７３の部分が略四角箱状である。また、ボタン可動体９０は、被押下体６０に重なる部分にＬＥＤ基板７１が収容され、ＬＥＤが被押下体６０を押下面の反対側から照らす用になっている。このＬＥＤ基板７１は、ボタン可動体９０の可動本体７０に収容されているが、有底筒状の可動本体７０の底部をボタン支持体８０内に設けられた2対のボス８３（図３、図８に図示）が貫通し、これら2対のボス８３を介してＬＥＤ基板７１が可動本体７０ではなく、ボタン支持体８０に支持されている。したがって、ＬＥＤ基板７１は、ボタン可動体９０が移動しても移動せず、遊技機側に固定された状態であり、ＬＥＤ基板７１の配線に負荷がかかることがない。
【００３０】
可動本体７０は、振動モータ７３を収容することで、ボタン可動体９０全体を振動させるようになっている。また、可動本体７０の略円筒状の部分の外周部分の互いに略１８０度離れた部分にそれぞれ１つずつの円筒状のボス７６が設けられており、可動本体７０に被押下体６０をビス止めする際にビス７４がボス７６に螺合するようになっている。被押下体６０の外筒となるアウターレンズ６１には、ビス７４をボス７６に螺合した際にビス７４が貫通した状態で係合して締結される環状の被締結部７５がボス７６の位置に対応して形成されている。これにより、被押下体６０は、押下方向に沿うビス７４により押下方向に向かって締結操作・締結解除操作することで、可動本体７０に取り付け、取り外しが可能である。また、ボタン可動体９０においては、可動本体７０がボタン支持体８０に押下方向に移動自在で、コイルばね８２に付勢された状態で、この可動本体７０に対して被押下体６０がビス７４によって着脱自在となっている。すなわち、ボタン支持体８０から可動本体７０を取り外すことなく、押しボタン装置２０に対して意匠シート６２を有する被押下体６０を押下方向から着脱することができる。
【００３１】
被押下体６０は、図５〜図７に示すように、有蓋円筒状のアウターレンズ６１と、このアウターレンズ６１内に収容される有蓋円筒状のインナ−レンズ６４とを備える。インナーレンズ６４の外径は、アウターレンズ６１の内径より少し小さく、アウターレンズ６１とインナーレンズ６４とが二重筒状態となっており、アウターレンズ６１の蓋の内面にインナーレンズ６４の外面が近接して配置される。アウターレンズ６１内には、上述の円形の意匠シート６２と、意匠シート６２と同形状の拡散シート６３とが配置されている。意匠シート６２と拡散シート６３とは、アウターレンズ６１の蓋の内面と、インナーレンズ６４の蓋の外面との間に挟まれた状態で配置される。アウターレンズ６１と、インナーレンズ６４とは、光を透過する透明な樹脂部材であり、意匠シート６２および拡散シート６３を介してＬＥＤ基板７１の光を透過し、意匠シート６２に描かれた画像をアウターレンズ６１の蓋の外面である押下面に表示するようになっている。拡散シート６３は、例えば、面積の狭いＬＥＤの光が輝点状に見えないように拡散している。意匠シート６２と拡散シート６３の外周には、後述のアウターレンズ６１の内周面のアウターレンズ６１の軸方向に沿った突条６９に対応して、凹部６８が設けられている。
【００３２】
円筒状のアウターレンズ６１には、上述の環状の被締結部７５が略１８０度離れた２箇所に外周面から外側に突出するように設けられており、ビス７４が挿入される。また、有蓋円筒状のアウターレンズ６１の開放側端部には、略１８０度離れた二箇所に押圧方向に沿って突出する円筒状のボス６７が設けられている。このボス６７には、ビス６５が螺合されて、アウターレンズ６１に、インナーレンズ６４を締結するようになっている。また、アウターレンズ６１の内周面には、内歯歯車状にアウターレンズ６１の軸方向（押圧方向）に沿う溝と突条が繰り返し全周に渡って設けられている。また、図６、図７に示すように、アウターレンズ６１の内周面には、互いに周方向に間隔を開けて上述の軸方向に沿う突条より大きな突条６９が複数設けられている。この突条６９は、意匠シート６２の角度合わせと、回転止めのために形成されたものである。また、アウターレンズ６１の蓋部分の内面には、シボ加工が施されている。すなわち、樹脂製のアウターレンズ６１の蓋の内面には、成形時に金型からシボ加工となる細かい模様が転写されている。これにより、アウターレンズ６１と、インナーレンズ６４との間に意匠シート６２を挟んでも、意匠シート６２がアウターレンズ６１に貼り付くのを防止できる。
【００３３】
インナーレンズ６４には、開放側の端部のアウターレンズ６１の２つのボス６７と重なる位置に、環状の被締結部６６が設けられ、アウターレンズ６１の２つのボス６７の一部が挿入された状態でボス６７と被締結部６６がビス６５により締結されるようになっている。図５に示すように、インナーレンズの外周面には、アウタ−レンズ６１の突条６９に対応して、溝７８が設けられており、アウターレンズ６１にインナーレンズ６４を挿入して取り付ける際に、アウターレンズ６１に対するインナーレンズ６４の角度が決められ、ボス６７と、被締結部６６の位置が合わされるようになっている。なお、突条６９と溝７８を複数設ける際には、回転対称とならない配置とする。インナーレンズ６４の蓋の外面には、アウターレンズ６１の蓋の内面と同様にシボ加工が施されている。
【００３４】
このような押しボタン装置２０においては、押下方向の反対方向に付勢された状態のボタン可動体９０の可動本体７０がボタン支持体８０に押下方向に移動自在に取り付けられている。この可動本体７０に対して、ボタン可動体９０の被押下体６０がビス７４により着脱可能に取り付けられているが、押下方向に向かってねじ込まれたビス７４を押下方向に沿ったドライバの操作により、着脱することができる。これにより押しボタン装置２０において、ボタン支持体８０からボタン可動体９０を取り外すことなく被押下体６０を取り外すことができる。これにより、押しボタン装置２０において、押圧方向からのドライバの操作により、押圧方向に沿ったビス７４を外して、押しボタン装置２０から被押下体６０を取り外した後に、被押下体６０において、アウターレンズ６１からビス止めされたインナーレンズ６４を取り外し、アウターレンズ６１内でアウターレンズ６１とインナーレンズ６４とに挟まれた意匠シートを取り外すことができる。
【００３５】
この場合に、意匠シート６２や拡散シート６３に接触するアウターレンズ６１やインナーレンズ６４の蓋の面にシボ加工が施されているので、意匠シート６２や拡散シート６３が蓋に貼り付いて外し難くなるのを防止できる。また、アウターレンズ６１の内周面に突条６９を設け、それに対応して、意匠シート６２および拡散シート６３の外周に凹部６８を設け、インナーレンズ６４の外周面に軸方向に沿う溝７８を設けたので、アウターレンズ６１に対して、意匠シート６２、拡散シート６３およびインナーレンズ６４の角度合わせを行なうことができる。
【００３６】
以上のことからボタン支持体８０に押下方向に支持されるボタン可動体９０全体を取り外すことなく、ボタン可動体９０のうちのボタン支持体８０に支持されることも係合されることもない被押下体６０だけを取り外すことで、被押下体６０内の意匠シート６２を容易に交換して、再び被押下体６０を容易に元に戻すことができる。したがって、組み上がった押しボタン装置２０を他の機種に流用する場合や、デザイン変更する場合に、意匠シート６２を容易に交換して、他機種への流用やデザイン変更を行なうことができる。
【００３７】
また、意匠シートの貼り付き防止のためにアウターレンズ６１やインナーレンズ６４にシボ加工を施す場合に、樹脂成形時の金型のコストが増加するが、アウターレンズ６１やインナーレンズ６４の製造数が増加することにより、押しボタン装置２０毎のコストは低下することになる。なお、意匠シート６２や拡散シート６３に貼り付き防止の加工を施した場合に、意匠シート６２や拡散シート６３の単価が上がるので、製造数が増加してもそれだけではコストが低減されない。なお、貼り付き防止のために意匠シート６２や拡散シート６３の表面に凹凸を設ける加工を施してもよい。
【００３８】
アウターレンズ６１に設けられる突条６９を溝とし、インナーレンズ６４に設けられる溝７８を突条とし、意匠シート６２および拡散シート６３の凹部６８を凸部としてもよい。また、ボタン可動体９０は、可動本体７０から被押下体６０を取り外さないと、ボタン支持体８０から取り外せない構造となっていてもよい。
【符号の説明】
【００３９】
２０    押しボタン装置
６０    被押下体
６１    アウターレンズ
６２    意匠シート
６４    インナーレンズ
６８    凹部
６９    突条
７０    可動本体
７８    溝
８０    ボタン支持体
８２    コイルばね（付勢手段）
９０    ボタン可動体
【図１】
2018183284.tif 000003
【図２】
2018183284.tif 000004
【図３】
2018183284.tif 000005
【図４】
2018183284.tif 000006
【図５】
2018183284.tif 000007
【図６】
2018183284.tif 000008
【図７】
2018183284.tif 000009
【図８】
2018183284.tif 000010
【図９】
2018183284.tif 000011